(57)【要約】【課題】  現場で簡単にカットすることができるとともに、木下地材が必要以上に配置されることがない内壁断熱パネル及び断熱リフォーム方法を提供する。【解決手段】第一内壁断熱パネル１は、断熱リフォームの際に建築物の既存内壁６に増し張りする内壁断熱パネルであって、平板状の断熱ボート３と当該断熱ボード３の外周の一部に設けられる外周下地枠５とを備え、前記外周下地枠５は、前記断熱ボード３の左右いずれか一辺及び上下いずれか一辺にのみ設けられる。【選択図】図１
2018090969.tif 000002
【特許請求の範囲】
【請求項１】
断熱リフォームの際に建築物の既存内壁に増し張りする内壁断熱パネルであって、
平板状の断熱ボードと、当該断熱ボードの外周の一部に設けられる外周下地枠とを備え、
前記外周下地枠は、前記断熱ボードの左右いずれか一辺及び上下いずれか一辺にのみ設けられることを特徴とする内壁断熱パネル。
【請求項２】
断熱リフォームの際に建築物の既存内壁に増し張りする内壁断熱パネルであって、
平板状の断熱ボードと当該断熱ボードの外周の一部に設けられる外周下地枠とを備え、
前記外周下地枠は、前記断熱ボードの上下左右のいずれか一辺にのみ設けられることを特徴とする内壁断熱パネル。
【請求項３】
前記断熱ボードは上下又は左右に２以上に分割されており、上下又は左右に分割した断熱ボードの間に中間下地枠が設けられることを特徴とする請求項１又は請求項２に記載の内壁断熱パネル。
【請求項４】
前記中間下地枠は、前記既存内壁に横下地材が設けられている場合には上下方向に設けられ、前記既存内壁に縦下地材が設けられている場合には左右方向に設けられることを特徴とする請求項３に記載の内壁断熱パネル。
【請求項５】
前記断熱ボードは発泡系断熱材であることを特徴とする請求項１から請求項４のいずれかに記載の内壁断熱パネル。
【請求項６】
少なくとも請求項１に記載の内壁断熱パネルを用いた内壁断熱リフォーム方法であって、
前記既存内壁の上縁又は下縁に横桟を固定する工程と、
前記横桟が固定された側と上下逆側に前記外周下地枠が設けられた前記内壁断熱パネルを前記横桟の上又は下の前記既存内壁の屋内側に固定する工程とを有し、
隣り合う前記内壁断熱パネルの互いに対向する端部には、一方に外周下地枠が設けられているとともに、他方に外周下地枠が設けられていないことを特徴とする断熱リフォーム方法。
【請求項７】
前記内壁断熱パネルの前記外周下地枠が設けられていない他辺側を切断することにより、当該内壁断熱パネルの幅又は高さを調整する工程をさらに有することを特徴とする請求項６に記載の断熱リフォーム方法。
【請求項８】
前記横桟及び前記外周下地枠に石膏ボードを固定する工程をさらに有することを特徴とする請求項６又は請求項７に記載の断熱リフォーム方法。
【発明の詳細な説明】
【技術分野】
【０００１】
本発明は、建築物の既存内壁に増し張りするリフォームに用いる内壁断熱パネル、及び当該内壁断熱パネルを用いた断熱リフォーム方法に関する。
【背景技術】
【０００２】
建築物の断熱性能を向上させる断熱リフォームの工法として、既存外壁の屋外側に断熱パネルを貼る外貼り断熱工法がある。外貼り断熱工法は、元々が外断熱工法ではない仕様の建築物を対象とする場合、外壁の通気層の外側に断熱材を施工することになり、外皮等の断熱の効果を計算上示すことが難しい上、リフォーム施工の際にも屋外に足場が必要となり大掛かりな工事となるケースが多い。
【０００３】
そこで、断熱リフォームの工法として、屋内側に断熱材を増し張りする内貼り断熱工法が種々提案されている（例えば特許文献１、特許文献２、特許文献３）。このような内貼り断熱工法においては、工期の短縮や施工手間の低減のために、予め木下地材のフレーム内に板状の断熱材を組み込んだ断熱パネルを用意しておき、リフォーム現場ではこの断熱パネルを内壁に順次増し張りする工法が用いられることが多い（例えば、特許文献１）。
【先行技術文献】
【特許文献】
【０００４】
【特許文献１】特開２０１５−１７５１０５号公報
【特許文献２】特開２０１５−７１９０４１号公報
【特許文献３】特開２００９−２６３９１７号公報
【発明の概要】
【発明が解決しようとする課題】
【０００５】
ところで、断熱リフォームする建築物は現場ごとに天井高や窓配置等が異なるため、上述のような予め木下地材のフレーム内に板状の断熱材を組み込んだ断熱パネルを用意する場合でも現場で断熱パネルの幅や高さを調整する必要がある。しかし、断熱パネルはその四周を木下地材が廻るため、断熱パネルをカットした場合、木下地材をカットした断熱パネルの端部に固定しなおす施工手間が発生する。
【０００６】
また、複数の断熱パネルを、左右又は上下に隣接させて内壁の屋内側に配置することになるが、当該断熱パネルの四周には木下地材が設けられているので、それぞれの断熱パネルの端部に固定されている木下地材が隣り合うように配置されるので、必要以上に木下地材が配置されることになり、断熱材が設けられていない部分が増えて断熱性能が低くなる。
【０００７】
そこで、本発明は、現場で簡単にカットすることができるとともに、木下地材が必要以上に配置されることがない内壁断熱パネル及び断熱リフォーム方法を提供することを目的とする。
【課題を解決するための手段】
【０００８】
本発明の第一の内壁断熱パネルは、断熱リフォームの際に建築物の既存内壁に増し張りする内壁断熱パネルであって、平板状の断熱ボードと、当該断熱ボードの外周の一部に設けられる外周下地枠とを備え、前記外周下地枠は、前記断熱ボードの左右いずれか一辺及び上下いずれか一辺にのみ設けられることを特徴としている。
【０００９】
また、第二の本発明の内壁断熱パネルは、断熱リフォームの際に建築物の既存内壁に増し張りする内壁断熱パネルであって、平板状の断熱ボードと当該断熱ボードの外周の一部に設けられる外周下地枠とを備え、前記外周下地枠は、前記断熱ボードの上下左右のいずれか一辺にのみ設けられることを特徴としている。
【００１０】
本発明の内壁断熱パネルは、前記断熱ボードは上下又は左右に２以上に分割されており、上下又は左右に分割した断熱ボードの間に中間下地枠が設けられることを特徴としている。
【００１１】
本発明の内壁断熱パネルは、前記中間下地枠は、既存内壁に水平下地材が設けられている場合には上下方向に設けられ、既存内壁に鉛直下地材が設けられている場合には左右方向に設けられることを特徴としている。
【００１２】
本発明の内壁断熱パネルは、前記断熱ボードは発泡系断熱材であることを特徴としている。
【００１３】
本発明の断熱リフォーム方法は、少なくとも第一の内壁断熱パネルを用いた内壁断熱リフォーム方法であって、前記既存内壁の上縁又は下縁に横桟を固定する工程と、前記横桟が固定された側と上下逆側に前記外周下地枠が設けられた前記内壁断熱パネルを前記横桟の上又は下の前記既存内壁の屋内側に固定する工程とを有し、隣り合う前記内壁断熱パネルの互いに対向する端部には、一方に外周下地枠が設けられているとともに、他方に外周下地枠が設けられていないことを特徴としている。
【００１４】
本発明の断熱リフォーム方法は、前記内壁断熱パネルの前記外周下地枠が設けられていない他辺側を切断することにより、当該内壁断熱パネルの幅又は高さを調整する工程をさらに有することを特徴としている。
【００１５】
本発明の断熱リフォーム方法は、前記横桟及び前記外周下地枠に石膏ボードを固定する工程をさらに有することを特徴としている。
【発明の効果】
【００１６】
本発明の内壁断熱パネルによると、断熱ボートの左右いずれか一辺及び上下いずれか一辺にのみ外周下地枠が設けられるので、断熱ボードの左右いずれか他方と上下いずれか他方には外周下地枠が設けられていない。したがって、リフォーム現場で内壁断熱パネルの幅や高さを調整する場合には、当該内壁断熱パネルの外周下地枠が設けられていない側を切断することで、簡単に内壁断熱パネルの幅や高さを調整することができる。また、内壁断熱パネルを左右方向又は上下方向に隣接させて複数配置する場合にも、内壁断熱パネルの互いに対向する端部には一方の内壁断熱パネルの端部に外周下地枠を設けつつ、他方の内周断熱パネルの端部に外周下地枠を設けなくて良いので、石膏ボードの固定に必要最低限の外周下地枠のみを配置することができ、断熱性能を向上させることができる。
【００１７】
本発明の内壁断熱パネルによると、外周下地枠が断熱ボードの上下左右のいずれか１辺にのみ設けられているので、当該内壁断熱パネルの外周下地枠が設けられていない側を切断することで、簡単に内壁断熱パネルの幅や高さを調整することができる。この内壁断熱パネルは、例えば、他の建具や内壁断熱パネルの配置の都合で内壁断熱パネルの３方向に石膏ボードを固定する下地が設けられている場合に、用いることができ、断熱ボードの四周を外周下地枠で囲んだパネルに比べて断熱性能を高めることができる。
【００１８】
本発明の内壁断熱パネルによると、断熱ボードが上下又は左右に２以上に分割されており、分割された断熱ボードの間に中間下地枠が設けられているので、幅方向又は高さ方向の長さが長い内壁断熱パネルを用いて既存内壁の下地に固定する場合に適切なピッチで内壁断熱パネルを固定することができ、また内壁断熱パネルを固定した後に、石膏ボードを固定する場合に適切なピッチで石膏ボードを固定することができる。
【００１９】
本発明の内壁断熱パネルによると、既存内壁に水平下地材が設けられている場合に、中間下地枠が上下方向に設けられ、既存内壁に鉛直下地材が設けられている場合に、中間下地枠が左右方向に設けられるので、中間下地枠は既存内壁の下地材に正面視直交するように配置されるので、確実に固定することができる。
【００２０】
本発明の内壁断熱パネルによると、前記断熱ボードは発泡系断熱材であるので、内壁にビス等を打ちつけても断熱性能に大きな問題が生じることが無く、断熱性の長期間維持することができる。
【００２１】
本発明の断熱リフォーム方法によると、既存内壁の上縁又は下縁に横桟を固定する他は、内壁断熱パネルを順次既存内壁の屋内側に固定するだけで、内壁断熱パネルの増し張り作業を行うことができる。また、隣り合う前記内壁断熱パネルの互いに対向する端部には、一方に外周下地枠が設けられているとともに、他方に外周下地枠が設けられていないので、必要最小限の外周下地枠のみを配置することができ、断熱性能を向上させることができる。
【００２２】
本発明の断熱リフォーム方法によると、内壁断熱パネルの幅や高さを調整する場合に、当該内壁断熱パネルの外周下地枠が設けられていない側を切断することで、簡単に内壁断熱パネルの幅や高さを調整することができる。
【００２３】
本発明の断熱リフォーム方法によると、石膏ボードを予め内壁断熱パネルに固定しておくのではなく、内壁断熱パネルを既存内壁に固定した後に石膏ボードを固定するので、施工前の内壁断熱パネルを軽量化することができ、リフォーム工事の際の取り回しに優れる。また、石膏ボードが貼り付いていないことで内壁断熱パネルの幅や高さの調整を容易に行うことができる。さらに、例えば、手摺、エアコン、床の間飾りなどを設置するために内壁を補強したい場合に内壁断熱パネルと石膏ボードとの間に簡単に合板を固定することができる。
【図面の簡単な説明】
【００２４】
【図１】第一内壁断熱パネルの外観構成を示す斜視図。
【図２】厚さが薄い第一内壁断熱パネルの外観構成を示す斜視図。
【図３】中間下地枠が設けられていない第一内壁断熱パネルの外観構成を示す斜視図。
【図４】第二内壁断熱パネルのバリエーションを示す斜視図。
【図５】断熱リフォーム方法において、既存内壁の上縁に横桟を固定する工程を示す断面図。
【図６】断熱リフォーム方法において、既存内壁の上縁に横桟を固定する工程を示す斜視図。
【図７】隅部鉛直材、開口部鉛直材、及び水平材を既存内壁に固定する工程を示す斜視図。
【図８】隅部鉛直材の隣に第一内壁断熱パネルを配置し、水平下地材と外周下地枠及び中間下地枠とが直交する位置をビスで固定する工程を示す斜視図。
【図９】第一内壁断熱パネルを配置し、水平下地材と外周下地枠及び中間下地枠とが直交する位置をビスで固定する前の状態を示す断面図。
【図１０】第一内壁断熱パネルを配置し、水平下地材と外周下地枠及び中間下地枠とが直交する位置をビスで固定した状態を示す断面図。
【図１１】固定した第一内壁断熱パネルに隣接させて第一内壁断熱パネルを配置する状態を示す斜視図。
【図１２】（Ａ）は第一内壁断熱パネルの外周下地枠が設けられていない上辺側を切断して、第一内壁断熱パネルの高さ寸法を調整する状態を説明する斜視図、（Ｂ）は第一内壁断熱パネルの外周下地枠が設けられていない左辺側を切断して、第一内壁断熱パネルの幅方向の寸法を調整する状態を説明する斜視図。
【図１３】開口部の上下の既存内壁に第二内壁断熱パネルを固定する前の状態を示す斜視図。
【図１４】開口部の上下の既存内壁に第二内壁断熱パネルを固定した状態を示す斜視図。
【図１５】上縁の横桟、第一内壁断熱パネル及び第二内壁断熱パネルの外周下地枠、及び中間下地枠に石膏ボードを固定した状態を説明する斜視図。
【図１６】上縁の横桟、第一内壁断熱パネル及び第二内壁断熱パネルの外周下地枠、及び中間下地枠に石膏ボードを固定した状態を説明する断面図。
【発明を実施するための形態】
【００２５】
以下、本発明に係る内壁断熱パネル及び断熱リフォーム方法の最良の実施形態について、各図を参照しつつ説明する。本実施形態の内壁断熱パネルは、断熱リフォームの際に建築物の既存内壁６の屋内側に増し張りする内壁断熱パネルである。内壁断熱パネルは固定する位置に応じて寸法が異なる複数のものが用意されているが、大別すると、下辺及び屋内側から見て右辺に外周下地枠が設けられた第一内壁断熱パネル１と、下辺のみに外周下地枠が設けられた第二内壁断熱パネル２とに分けることができる。以下、それぞれについて説明する。
【００２６】
〔第一内壁断熱パネル〕
まず、図１から図３に基づいて、第一内壁断熱パネル１について説明する。第一内壁断熱パネル１は、矩形平板状で左右の２枚に分割される断熱ボード３と、左右の断熱ボード３の間に高さ方向に設けられる中間下地枠４と、第一内壁断熱パネル１の下辺及び屋内側から見て右辺に設けられる外周下地枠５と、これらを覆う防湿シートと、を備える。
【００２７】
第一内壁断熱パネル１は、高さ方向の長さが既存内壁６の床から天井のほぼ全高を覆うことができるように、例えば２５００ｍｍ程度の長さであり、また、幅方向の長さは当該第一内壁断熱パネル１を固定する下地となる既存内壁６の下地材のピッチによるが、例えば１０００ｍｍ程度である。第一内壁断熱パネル１の高さ及び幅方向の長さは、建築物の既存内壁６の仕様に応じて固定のしやすさなどを考慮して決定される。
【００２８】
断熱ボード３は、例えばフェノール樹脂を発泡硬化させた矩形の平板である。なお、断熱ボード３は、これに限定されるものではなく、例えばグラスウール、ロックウール、真空断熱材などであってもよいが、好ましくは、ポリスチレン、ポリウレタン、フェノール樹脂などの材料を発泡硬化させた発泡系断熱材が好ましい。内壁の石膏ボードの裏に配置される断熱パネルであるので、ビス等が打ち込まれたとしても断熱性能が大きく低下することが無く、また、断熱ボード３自体が形状を保持できる硬さを有する材料であることが好ましい。
【００２９】
中間下地枠４及び外周下地枠５はそれぞれ断熱ボード３の厚さと同じ厚さを有する木製の角材である。中間下地枠４及び右辺の外周下地枠５は断熱ボード３の高さ方向の長さと同じ長さであり、下辺の外周下地枠５は２枚の断熱ボード３、中間下地枠４、右辺の外周下地枠５の幅方向の長さを足した長さに形成されている。そして、中間下地枠４及び右辺の外周下地枠５を下辺の外周下地枠５に図示しない釘で固定し、中間下地枠４を挟んで両側に断熱ボード３を配置している。そして、中間下地枠４、外周下地枠５、及び断熱ボード３で形成されたパネルの表面を防湿シートで覆って第一内壁断熱パネル１を形成している。
【００３０】
なお、第一内壁断熱パネル１は、中間下地枠４が１本に限定されるものではなく、２本以上の中間下地枠４がそれぞれ３枚以上に分割された断熱ボード３の間に配置される構成であってもよい。また、第一内壁断熱パネル１は、図２に示すように、中間下地枠４が全く設けられていなくても良い。例えば第一内壁断熱パネル１の幅が５００ｍｍ程度である場合には、石膏ボードを固定する下地として中間下地枠４を設ける必要はない。
【００３１】
また、第一内壁断熱パネル１の外周下地枠５は、右辺及び下辺に設けられるものに限定されるものではなく、他の断熱材との取り合いによっては、右辺に変えて左辺に外周下地枠５を設けてもよく、又は下辺に変えて上辺に外周下地枠５を設けてもよい。
【００３２】
本実施形態において中間下地枠４は、その長さ方向が第一内壁断熱パネル１の高さ方向を向くように設けられているが、これに限定されるものではなく、例えば、図示しないが既存内壁６の内側に設けられている下地材が鉛直下地材である場合には、中間下地枠４は第一内壁断熱パネル１の幅方向を向くように設けられることが好ましい。すなわち、中間下地枠４は、既存内壁６に水平下地材６１が設けられている場合には、中間下地枠４を高さ方向を向くように設けることで、屋内側から見て、水平下地材６１と中間下地枠４とが直交し、既存内壁６に鉛直下地材が設けられている場合には、中間下地枠４の幅方向を向くように設けることで、屋内側から見て、鉛直下地材と中間下地枠４とが直交するので、この直交した部分にビス７を打ち込むことで下地材に第一内壁断熱パネル１を確実に固定することができる。
【００３３】
第一内壁断熱パネル１の厚さは例えば図１に示すように５０ｍｍと、図３に示すように２５ｍｍとの２種類が用意されている。第一内壁断熱パネル１は、既存内壁６の屋内側に配置するものであるので、第一内壁断熱パネル１の厚さ及び石膏ボード８の厚さの分だけリフォーム後の新たな内壁は屋内側にせり出す。したがって、例えば畳みが既存内壁６の壁際にまで設けられる和室、既存内壁６に物入れが造り付けられた玄関ホール、又は、既存内壁６と開き戸との間にあまり余裕がない部分などには、薄い第一内壁断熱パネル１を用い、リビング等の比較的内壁が屋内側にせり出す量が増えても他の部材と干渉するおそれが少ない箇所にはより断熱性能の高い厚い第一内壁断熱パネル１を用いることで、建築物の全体としての断熱性能を高めることができる。
【００３４】
〔第二内壁断熱パネル〕
次に、図４に基づいて、第二内壁断熱パネル２について説明する。第二内壁断熱パネル２は、図４（Ａ）に示すように、矩形平板状で左右の２枚に分割される断熱ボード３と、左右の断熱ボード３の間に高さ方向に設けられる中間下地枠４と、第二内壁断熱パネル２の下辺に設けられる外周下地枠５と、これらを覆う防水シートと、を備える。
【００３５】
第二内壁断熱パネル２は、本実施形態においては、例えば建築物の窓などの開口部９９の上側又は下側の既存内壁６に増し張りする断熱パネルである。開口部９の両側には追加される額縁やサッシを支持するために鉛直方向を向いた一対の開口部鉛直材９１を設けるので、第二内壁断熱パネル２は左右の辺に外周下地枠５を設けていない。
【００３６】
第二内壁断熱パネル２は、高さ方向の長さが既存内壁６の床から開口部９の下端までを覆う長さ、又は、既存内壁６の天井から開口部９の上端までを覆う長さに形成されている。また、第二内壁断熱パネル２は、幅は１０００ｍｍよりも僅かに小さく形成されており、開口部鉛直材９１の間に隙間無く収まる長さである。なお、第二内壁断熱パネル２の高さ及び幅方向の長さは、設置される位置や建具、既存内壁６の仕様に応じて決定される。
【００３７】
断熱ボード３は、第一内壁断熱パネル１と同様の材料であるので説明を省略する。中間下地枠４及び外周下地枠５はそれぞれ断熱ボード３の厚さと同じ厚さを有する木製の角材である。中間下地枠４は断熱ボード３の高さ方向の長さと同じ長さであり、下辺に設けられる外周下地枠５は２枚の断熱ボード３及び中間下地枠４の幅方向の長さを足した長さに形成されている。中間下地枠４を下辺の外周下地枠５に図示しない釘で固定し、中間下地枠４を挟んで両側に断熱ボード３を配置している。そして、中間下地枠４、外周下地枠５、及び断熱ボード３で形成されたパネルの表面を防湿シートで覆って第二内壁断熱パネル２を形成している。
【００３８】
なお、第二内壁断熱パネル２も第一内壁断熱パネル１と同様に、中間下地枠４は１本に限定されず、２本以上の中間下地枠４が設けられていても良い。また、第二内壁断熱パネル２は図４（Ｂ）に示すように、中間下地枠４が全く設けられていなくても良い。
【００３９】
また、第二内壁断熱パネル２は、図４（Ｃ）（Ｄ）に示すように、設置する位置によっては予め補強合板２１を屋内側の面に貼り付けておいても良い。例えば開口部９の上側に配置される第二内壁断熱パネル２は、断熱リフォームの後、カーテンテールを取り付ける必要があるので、石膏ボード８の壁内側に必ず補強合板２１が必要となる。したがって、予め開口部９の上側に配置する第二内壁断熱パネル２には補強合板２１を屋内側の面に固定しておいてもよい。なお、開口部９の上側以外でも例えば第一内壁断熱パネル１又は第二内壁断熱パネル２のエアコン設置面、手摺設置面などの補強が必要な箇所に予め補強合板２１を固定しておいても良く、又は、現場で施工する際に補強合板２１を固定しておいても良い。予め補強合板２１を固定する場合には、リフォーム現場での作業工程を簡略化して作業手間の低減や工期を短縮する利点があり、現場で補強合板２１を固定する場合には、部品点数の低減の利点がある。
【００４０】
〔断熱リフォーム方法〕
次に、以上のように形成される第一内壁断熱パネル１及び第二内壁断熱パネル２を用いた断熱リフォーム方法について、図５から図１７を参照しつつ説明する。本実施形態の断熱リフォーム方法では、まず、図５及び図６に示すように、既存内壁６の上縁に横桟１０をビス７で固定する。横桟１０は第一内壁断熱パネル１及び第二内壁断熱パネル２と同じ厚さの角材であり、ビス７によって既存内壁６の壁内側に設けられた上縁の木下地材に固定される。なお、既存内壁６の壁内側は、図６に示すように、水平下地材６１が多数設けられている。なお、本実施形態においては、第一内壁断熱パネル１の外周下地枠５は下辺に設けられているが、例えば、第一内壁断熱パネル１の外周下地枠５を上辺に設けて、横桟１０は既存内壁６の下縁に固定するものであってもよい。なお、既存内壁６の上縁は、既存内壁６の天井板１４と接する位置をいい、既存内壁６の下縁は、既存内壁６の床板１３に接する位置をいう。
【００４１】
次に、図７に示すように、最初の第一内壁断熱パネル１を配置する隅部に隅部鉛直材１２を配置し、開口部９の両側にそれぞれ開口部鉛直材９１を配置し、開口部９の下側に水平材９２を配置する。これら隅部鉛直材１２、開口部鉛直材９１及び水平材９２は、いずれも第一内壁断熱パネル１及び第二内壁断熱パネル２と同じ厚さに形成された角材である。なお、隅部には隅部鉛直材１２を配置せずに、当該隅部側に外周下地枠５が設けられた第一内壁断熱パネル１を配置してもよい。また、図示しないが、隅部を挟んで両側の既存内壁６に第一内壁断熱パネル１を増し張りする場合には、隅部鉛直材１２と同じ形状の断熱ボード３を配置し、その横に隅部鉛直材１２を固定する構成であってもよい。なお、開口部９の両側の開口部鉛直材９１及び開口部９の下側の水平材９２は断熱リフォームによって屋内側に内壁がせり出した分、額縁やサッシを追加するためのものである。
【００４２】
そして、次に、図８から図１０に示すように、隅部に配置した隅部鉛直材１２の隣に第一内壁断熱パネル１を配置する。そして、既存内壁６の壁内側に設けられている水平下地材６１に第一内壁断熱パネル１の外周下地枠５及び中間下地枠４が直交する位置をビス７で固定する。そして、さらに、図１１に示すように固定した第一内壁断熱パネル１に隣接させて第一内壁断熱パネル１を配置し、水平下地材６１に外周下地枠５及び中間下地枠４が直交する位置をビス７で固定する。
【００４３】
第一内壁断熱パネル１は右辺及び下辺に外周下地枠５が設けられているとともに、左辺には隣接する第一内壁断熱パネル１の右辺が配置されており、上辺には横桟１０が設けられているので、第一内壁断熱パネル１を既存内壁６に設置した後は、四周が角材で囲まれており、後で石膏ボード８を固定する下地とすることができる。
【００４４】
なお、既存内壁６の天井の高さや幅が第一内壁断熱パネル１の寸法と合わない場合には、図１２（Ａ）（Ｂ）に示すように、第一内壁断熱パネル１の外周下地枠５が設けられていない上辺又は左辺側を切断して第一内壁断熱パネル１の寸法を調整する。第一内壁断熱パネル１の上辺及び左辺には外周下地枠５が設けられていないので、これらを切断したとしても外周下地枠５は上端又は左端の一部が切断されるだけであり、第一内壁断熱パネル１を固定した後に外周下地枠５が石膏ボード８を固定するための下地として十分機能することができる。
【００４５】
第一内壁断熱パネル１を既存内壁６に固定すると、次に、図１３及び図１４に示すように、開口部９の上下の既存内壁６に第二内壁断熱パネル２を固定する。なお、本実施形態に置いては開口部９の上下に既存内壁６が設けられた例を示しているが、例えば掃き出し窓の場合のように、開口部９の上側にしか既存内壁６が設けられていない場合には、開口部９の上側の既存内壁６に第二内壁断熱パネル２を固定する。
【００４６】
第二内壁断熱パネル２は両側の開口部鉛直材９１の間に第二内壁断熱パネル２を嵌め込んで既存内壁６の壁内側に設けられた水平下地材６１に中間下地材材及び下辺の外周下地材をビス７で固定する。開口部９の上側に設けられる第二内壁断熱パネル２は予め補強合板２１が固定されており、両側の開口部鉛直材９１にはこの補強合板２１と開口部鉛直材９１とを固定するための受け部９３が固定されている。第二内壁断熱パネル２を固定した後、補強合板２１を受け部９３にビスで固定する。
【００４７】
そして、第一内壁断熱パネル１及び第二内壁断熱パネル２を既存内壁６に固定し終えると、次に、図１５及び図１６に示すように、上縁の横桟１０、第一内壁断熱パネル１及び第二内壁断熱パネル２の外周下地枠５、及び中間下地枠４に石膏ボード８を石膏ボード固定用ビス１１で固定する。そして、石膏ボード８の上に図示しない壁紙を貼り付けて断熱リフォームを終了する。
【００４８】
このように本実施形態の第一内壁断熱パネル１、第二内壁断熱パネル２、及び断熱リフォーム方法によると、リフォーム現場で第一内壁断熱パネル１又は第二内壁断熱パネル２の幅や高さを調整する場合に、外周下地枠５が設けられていない側を切断することで、簡単に調整できる。また、第一内壁断熱パネル１を隣接させて複数配置する場合に、一方の第一内壁断熱パネル１の端部に外周下地枠５を設けつつ、他方の第一内周断熱パネル１の端部に外周下地枠５を設けなくて良いので、石膏ボード８の固定に必要最低限の外周下地枠５のみを配置することができ、断熱性能を向上させることができる。
【００４９】
また、第一内壁断熱パネル１を既存内壁６に固定した後に石膏ボード８を固定するリフォーム方法であるので、石膏ボード８を第一内壁断熱パネル１に予め固定しておく方法に比べて、施工前の第一内壁断熱パネル１を軽量化することができ、リフォーム工事の際の取り回しに優れる。また、石膏ボード８が貼り付いていないことで第一内壁断熱パネル１の幅や高さの調整を容易に行うことができる。さらに、例えば、手摺、エアコン、床の間飾りなどを設置するために内壁を補強したい場合に第一内壁断熱パネルと石膏ボード８との間に簡単に合板を固定することができる。
【００５０】
なお、本発明の実施の形態は上述の形態に限ることなく、本発明の思想の範囲を逸脱しない範囲で適宜変更することができることは云うまでもない。
【産業上の利用可能性】
【００５１】
本発明に係る内壁断熱パネル及び断熱リフォーム方法は、例えば住宅の断熱リフォームに用いる断熱パネル及び断熱リフォーム方法として好適に用いることができる。
【符号の説明】
【００５２】
１      第一内壁断熱パネル（内壁断熱パネル）
２      第二内壁断熱パネル（内壁断熱パネル）
３      断熱ボード
４      中間下地枠
５      外周下地枠
６      既存内壁
８      石膏ボード
６１    水平下地材
【図１】
2018090969.tif 000003
【図２】
2018090969.tif 000004
【図３】
2018090969.tif 000005
【図４】
2018090969.tif 000006
【図５】
2018090969.tif 000007
【図６】
2018090969.tif 000008
【図７】
2018090969.tif 000009
【図８】
2018090969.tif 000010
【図９】
2018090969.tif 000011
【図１０】
2018090969.tif 000012
【図１１】
2018090969.tif 000013
【図１２】
2018090969.tif 000014
【図１３】
2018090969.tif 000015
【図１４】
2018090969.tif 000016
【図１５】
2018090969.tif 000017
【図１６】
2018090969.tif 000018
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
断熱リフォームの際に建築物の既存内壁に増し張りする第一内壁断熱パネル及び第二内壁断熱パネルを用いた内壁断熱リフォーム方法であって、
前記第一内壁断熱パネルは、平板状の断熱ボードと、当該断熱ボードの左右いずれか一辺及び下辺にのみ設けられる外周下地枠とを備え、
前記第二内壁断熱パネルは、平板状の断熱ボードと、当該断熱ボードの下辺にのみ設けられる外周下地枠とを備えており、
前記既存内壁の上縁に横桟を固定する工程と、
前記既存内壁に形成された開口部の左右両側にそれぞれ開口部鉛直材を配置する工程と、
前記開口部鉛直材間を除いて前記横桟の下の前記既存内壁の屋内側に、前記第一内壁断熱パネルを固定する工程と、
前記開口部鉛直材間であって前記開口部の上側の前記既存内壁の屋内側に、前記第二内壁断熱パネルを固定する工程とを有し、
隣り合う前記第一内壁断熱パネルの互いに対向する端部には、一方に外周下地枠が設けられているとともに、他方に外周下地枠が設けられていないことを特徴とする断熱リフォーム方法。
【請求項２】
前記第一内壁断熱パネル又は前記第二内壁断熱パネルの前記外周下地枠が設けられていない側を切断することにより、当該第一内壁断熱パネル又は当該第二内壁断熱パネルの幅又は高さを調整する工程をさらに有することを特徴とする請求項１に記載の断熱リフォーム方法。
【請求項３】
前記横桟及び前記第一内壁断熱パネル及び前記第二内壁断熱パネルの前記外周下地枠に石膏ボードを固定する工程をさらに有することを特徴とする請求項１又は請求項２に記載の断熱リフォーム方法。
【手続補正３】
【補正対象書類名】明細書
【補正対象項目名】０００１
【補正方法】変更
【補正の内容】
【０００１】
本発明は、建築物の既存内壁に増し張りする内壁断熱パネルを用いた断熱リフォーム方法に関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明の断熱リフォーム方法は、断熱リフォームの際に建築物の既存内壁に増し張りする第一内壁断熱パネル及び第二内壁断熱パネルを用いた内壁断熱リフォーム方法であって、前記第一内壁断熱パネルは、平板状の断熱ボードと、当該断熱ボードの左右いずれか一辺及び下辺にのみ設けられる外周下地枠とを備え、前記第二内壁断熱パネルは、平板状の断熱ボードと、当該断熱ボードの下辺にのみ設けられる外周下地枠とを備えており、前記既存内壁の上縁に横桟を固定する工程と、前記既存内壁に形成された開口部の左右両側にそれぞれ開口部鉛直材を配置する工程と、前記開口部鉛直材間を除いて前記横桟の下の前記既存内壁の屋内側に、前記第一内壁断熱パネルを固定する工程と、前記開口部鉛直材間であって前記開口部の上側の前記既存内壁の屋内側に、前記第二内壁断熱パネルを固定する工程とを有し、隣り合う前記第一内壁断熱パネルの互いに対向する端部には、一方に外周下地枠が設けられているとともに、他方に外周下地枠が設けられていないことを特徴としている。
【手続補正１０】
【補正対象書類名】明細書
【補正対象項目名】００１４
【補正方法】変更
【補正の内容】
【００１４】
本発明の断熱リフォーム方法は、前記第一内壁断熱パネル又は前記第二内壁断熱パネルの前記外周下地枠が設けられていない側を切断することにより、当該第一内壁断熱パネル又は当該第二内壁断熱パネルの幅又は高さを調整する工程をさらに有することを特徴としている。
【手続補正１１】
【補正対象書類名】明細書
【補正対象項目名】００１５
【補正方法】変更
【補正の内容】
【００１５】
本発明の断熱リフォーム方法は、前記横桟及び前記第一内壁断熱パネル及び前記第二内壁断熱パネルの前記外周下地枠に石膏ボードを固定する工程をさらに有することを特徴としている。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】